(57)【要約】【課題】充電側接続部の端子の接触抵抗の上昇、又は、フィルタ部の目詰まりを、利用者に通知をすることにより故障を未然に防ぐことができる充電装置及び充電システムを提供する。【解決手段】充電側接続部４と蓄電側接続部５とが挿抜された挿抜回数、又は、蓄電装置２を充電した充電回数が所定回数に達した場合、充電側接続部４に設けられている端子の接触抵抗が所定抵抗を超えたとし、挿抜回数又は充電回数が所定回数に達したことを出力し、あるいは、温度計測部１０が計測した温度を取得し、充電装置２に異常がなく、且つ、温度が所定温度に達した場合、フィルタ部８に目詰まりがあると推定し、目詰まりがあることを出力する充電装置である。【選択図】図１
2017038437.tif 000002
【特許請求の範囲】
【請求項１】
蓄電装置が備える蓄電側接続部に接続して用いる充電側接続部と、
前記充電側接続部と前記蓄電側接続部とが挿抜された挿抜回数、又は、前記蓄電装置を充電した充電回数が所定回数に達した場合、前記充電側接続部に設けられている端子の接触抵抗が所定抵抗を超えたとし、前記挿抜回数又は前記充電回数が所定回数に達したことを出力部に出力する制御部と、
を備えることを特徴とする充電装置。
【請求項２】
充電装置の吸気口に設けられるフィルタ部と、
前記充電装置内に設けられる温度計測部と、
前記温度計測部が計測した温度を取得し、前記充電装置に異常がなく、且つ、前記温度が所定温度に達した場合、前記フィルタ部に目詰まりがあると推定し、目詰まりがあることを出力部に出力する制御部と、
を備えることを特徴とする充電装置。
【請求項３】
蓄電装置が備える蓄電側接続部に接続して用いる充電側接続部を備える充電装置と、前記充電装置とネットワークを介して接続される情報処理装置と、が通信をする充電システムであって、
前記充電装置あるいは前記情報処理装置は、
前記充電側接続部と前記蓄電側接続部とが挿抜された挿抜回数、又は、前記蓄電装置を充電した充電回数を求め、
前記挿抜回数又は前記充電回数が所定回数に達した場合、前記充電側接続部に設けられている端子の接触抵抗が所定抵抗を超えたとし、前記挿抜回数又は前記充電回数が所定回数に達したことを前記情報処理装置に接続される出力装置に出力させる、
ことを特徴とする充電システム。
【請求項４】
蓄電装置が備える蓄電側接続部に接続して用いる充電側接続部を備える充電装置と、前記充電装置とネットワークを介して接続される情報処理装置と、が通信をする充電システムであって、
前記充電装置は、
前記充電装置の吸気口に設けられるフィルタ部と、
前記充電装置内に設けられる温度計測部と、
前記温度計測部が計測した温度を取得する制御部と、を備え、
前記充電装置あるいは前記情報処理装置は、
前記充電装置に異常がなく、且つ、前記温度が所定温度に達した場合、前記フィルタ部に目詰まりがあると推定し、目詰まりがあることを前記情報処理装置に接続される出力装置に出力させる、
ことを特徴とする充電システム。
【発明の詳細な説明】
【技術分野】
【０００１】
本発明は、充電装置及び充電システムの保守・点検に関する。
【背景技術】
【０００２】
蓄電装置へ電力を供給して充電する充電装置は、定期的に保守・点検を実施し、必要に応じて交換部品を新しいものに換えなければならない。交換部品には、例えば、充電側コネクタ（充電側接続部）やフィルタ部などがある。
【０００３】
充電側コネクタは、充電装置内の電源部に接続されている充電用ケーブルの先端に設けられ、蓄電装置に充電をする際に、蓄電装置に設けられている蓄電側コネクタ（蓄電側接続部）に接続して用いられる。充電側コネクタを交換する理由は、充電側コネクタに設けられている端子が蓄電側コネクタに設けられている端子との挿抜により摩耗することで、充電側コネクタの端子の接触抵抗が上昇し、充電の際に端子が発熱することが理由である。
【０００４】
フィルタ部は、充電装置の吸気口に設けられ、吸気した際に塵埃などが充電装置内に入らないようにするものである。フィルタ部を清掃又は交換する理由は、フィルタ部が目詰まりすることにより、充電装置内に吸気される空気量が減少し、充電装置内の電源部が冷却され難くなることが理由である。
【０００５】
しかし、上記した理由を知りながら、実際には定期的に保守・点検が実施されないことがあり、充電装置が故障に至ることがある。
関連する技術として、冷却装置に冷却用のファンと共に組み込まれた空気濾過用のフィルタ部の目詰まりを検出する、フィルタ目詰まり検出装置、及び、フィルタ目詰まり検出方法が開示されている。例えば、特許文献１を参照。
【０００６】
また、関連する技術として、冷却対象を好適に冷却できる電子機器において、検出した風量が警告用の所定風量以下である場合に、フィルタ部が目詰まりを起こしているとして、フィルタ部が目詰まりを通知する技術が開示されている。例えば、特許文献２を参照。
【先行技術文献】
【特許文献】
【０００７】
【特許文献１】特開２００６−１９８５８２号公報
【特許文献２】特開２００９−０１５０１７号公報
【発明の概要】
【発明が解決しようとする課題】
【０００８】
本発明の一側面に係る目的は、充電側接続部の端子の接触抵抗の上昇、又は、フィルタ部の目詰まりを、利用者に通知をすることにより故障を未然に防ぐことができる充電装置及び充電システムを提供することである。
【課題を解決するための手段】
【０００９】
本発明に係る一つの形態である充電装置は、充電側接続部、制御部を備える。
充電側接続部は、蓄電装置が備える蓄電側接続部に接続して用いる。制御部は、充電側接続部と蓄電側接続部とが挿抜された挿抜回数、又は、蓄電装置を充電した充電回数が所定回数に達した場合、充電側接続部に設けられている端子の接触抵抗が所定抵抗を超えたとし、挿抜回数又は充電回数が所定回数に達したことを出力部に出力する。
【００１０】
また、本発明に係る一つの形態である充電装置は、フィルタ部、温度計測部、制御部を備える。フィルタ部は、充電装置の吸気口に設けられる。温度計測部は、充電装置内に設けられる。制御部は、温度計測部が計測した温度を取得し、充電装置に異常がなく、且つ、温度が所定温度に達した場合、フィルタ部に目詰まりがあると推定し、目詰まりがあることを出力部に出力する。
【００１１】
また、本発明に係る一つの形態である充電システムは、蓄電装置が備える蓄電側接続部に接続して用いる充電側接続部を備える充電装置と、充電装置とネットワークを介して接続される情報処理装置と、が通信をするシステムである。充電装置あるいは情報処理装置は、充電側接続部と蓄電側接続部とが挿抜された挿抜回数、又は、蓄電装置を充電した充電回数を求め、挿抜回数又は充電回数が所定回数に達した場合、充電側接続部に設けられている端子の接触抵抗が所定抵抗を超えたとし、挿抜回数又は充電回数が所定回数に達したことを情報処理装置に接続される出力装置に出力させる。
【００１２】
また、本発明に係る一つの形態である充電システムは、蓄電装置が備える蓄電側接続部に接続して用いる充電側接続部を備える充電装置と、充電装置とネットワークを介して接続される情報処理装置と、が通信をするシステムである。充電装置は、充電装置の吸気口に設けられるフィルタ部と、充電装置内に設けられる温度計測部と、温度計測部が計測した温度を取得する制御部と、を備える。また、充電装置あるいは情報処理装置は、充電装置に異常がなく、且つ、温度が所定温度に達した場合、フィルタ部に目詰まりがあると推定し、目詰まりがあることを情報処理装置に接続される出力装置に出力させる。
【発明の効果】
【００１３】
充電側接続部の端子の接触抵抗の上昇、又は、フィルタ部の目詰まりを、利用者に通知をすることで故障を未然に防ぐことができる。
【図面の簡単な説明】
【００１４】
【図１】充電装置及び蓄電装置の一実施例を示す図である。
【図２】実施形態１における充電装置の動作の一例を示すフロー図である。
【図３】実施形態２における充電装置の動作の一例を示すフロー図である。
【図４】充電システムの一実施例を示す図である。
【発明を実施するための形態】
【００１５】
以下図面に基づいて実施形態について詳細を説明する。
＜充電装置＞
図１は、充電装置及び蓄電装置の一実施例を示す図である。充電装置１は、電源部３、充電側コネクタ４（充電側接続部）、制御部６、出力部７、フィルタ部８、冷却部９を備えている。蓄電装置２は、蓄電側コネクタ５（蓄電側接続部）を備えている。
【００１６】
充電装置１について説明する。
電源部３は、商用電源などの外部から供給される電力に基づいて所望の電力を生成し、蓄電装置２に充電をするための電力を出力する。
【００１７】
また、電源部３は内部に温度計測部１０を備えている。温度計測部１０は計測した温度を制御部６に送信する。温度計測部１０を設ける位置は、例えば、電源部３内のＤＣ−ＤＣコンバータに設けられるスイッチング制御に用いられるＭＯＳＦＥＴ（Metal Oxide Semiconductor Field Effect Transistor）などのスイッチング素子に配設される放熱フィンに設けることが考えられる。
【００１８】
充電側コネクタ４は、一方が電源部３に接続されている充電用ケーブルの他方端に設けられ、蓄電装置２に充電をする際には、蓄電装置２に設けられている蓄電側コネクタ５に接続して用いられる。ただし、充電用ケーブルを介さずに充電装置１に、直接設けてもよい。
【００１９】
制御部６は、例えば、ＣＰＵ（Central Processing Unit）、マルチコアＣＰＵ、プログラマブルなデバイス（ＦＰＧＡ（Field Programmable Gate Array）やＰＬＤ（Programmable Logic Device）など）を用いた回路である。
【００２０】
出力部７は、利用者に対して情報を提供する機能を有し、例えば、ランプ、ＬＥＤ（Light Emitting Diode）、モニタ、スピーカなどが考えられる。
フィルタ部８は、充電装置１の吸気口に設けられ、充電装置１内に空気を取り入れる際に、塵埃などが充電装置１内に入らないように、空気を濾過するものである。
【００２１】
冷却部９は、フィルタ部８を通して吸気した空気を用いて充電装置１内を冷却するファンなどである。また、冷却部９は、充電装置１内に設けられている電源部３を冷却してもよい。
【００２２】
蓄電装置２について説明する。
蓄電装置２は、例えば、電池パックなどで、充電装置１により充電される。なお、蓄電装置２は車両などに搭載してもよい。
【００２３】
蓄電側コネクタ５は、蓄電装置２に直接、又は、ケーブルなどを介して接続され、蓄電装置２に充電をする際には、充電装置１の充電側コネクタ４が接続される。
＜実施形態１＞
実施形態１において、制御部６は、充電側コネクタ４と蓄電側コネクタ５とが挿抜された挿抜回数、又は、蓄電装置２を充電した充電回数が所定回数に達した場合、充電側コネクタ４に設けられている端子の接触抵抗が所定抵抗を超えたとし、挿抜回数又は充電回数が所定回数に達したことを出力部７に出力する。
【００２４】
挿抜とは、例えば、充電側コネクタ４に設けられている凸形状の端子を、蓄電側コネクタ５に設けられている凹形状の端子に挿入した場合、又は、蓄電側コネクタ５に設けられている凸形状の端子を、充電側コネクタ４に設けられている凹形状の端子に挿入した場合、又は、充電側コネクタ４に設けられている凸形状の端子を、蓄電側コネクタ５に設けられている凹形状の端子から抜出した場合、又は、蓄電側コネクタ５に設けられている凸形状の端子を、充電側コネクタ４に設けられている凹形状の端子から抜出した場合、などが考えられる。また、挿抜は、充電側コネクタ４に設けられている端子、及び、蓄電側コネクタ５に設けられている端子、の形状に係らず、充電側コネクタ４の端子と蓄電側コネクタ５の端子とが接触し摩耗する接続も含む。
【００２５】
挿抜の検出は、充電側コネクタ４の端子と蓄電側コネクタ５の端子とが充電可能な状態に接続されたことを検出するセンサを用いることが考えられる。例えば、センサを充電側コネクタ４と蓄電側コネクタ５とに設けて、接触したことを制御部６に通知する。
【００２６】
挿抜回数は、例えば、充電側コネクタ４を蓄電側コネクタ５に挿入した回数、又は、充電側コネクタ４を蓄電側コネクタ５から抜出した回数、又は、挿入と抜出を一回として数えた回数、とする。
【００２７】
また、挿抜回数に換えて充電回数を用いてもよい。挿抜回数を充電回数に換えて用いることができる理由は、充電側コネクタ４と蓄電側コネクタ５とが接続される状況は基本的に充電をする場合なので、充電回数を挿抜回数と見做すことができる。
【００２８】
充電の検出は、充電装置１の充電開始、又は、充電停止を検出する。
充電回数は、例えば、充電装置１が充電を開始した回数、又は、充電を停止した回数、又は、充電開始と充電停止を一回として数えた回数である。
【００２９】
所定回数は、挿抜により接触抵抗が上昇して故障に至るとされる挿抜回数より小さい値である。充電側コネクタ４の端子の接触抵抗は、挿抜回数が増えるに従い上昇し、いずれ充電の際に故障に至る発熱を引き起こす接触抵抗（所定抵抗）に達する。しかし接触抵抗は小さい値であるため計測をすることが難しい。そこで接触抵抗と挿抜による摩耗との関係を利用して、故障に至る挿抜回数を、予め実験又はシミュレーションにより求める。
【００３０】
実施形態１の動作について説明をする。
図２は、実施形態１における充電装置の動作の一例を示すフロー図である。ステップＳ１からステップＳ４に制御部６の処理を示す。
【００３１】
ステップＳ１では、充電側コネクタ４と蓄電側コネクタ５との挿抜（又は充電）を検出した場合（Ｙｅｓ）にステップＳ２の処理に移行し、それ以外の場合（Ｎｏ）には挿抜されるまで待機する。
【００３２】
ステップＳ２では、現在の挿抜回数（又は充電回数）に１を加算する処理をする。図２では、挿抜回数←挿抜回数＋１と表している。なお、充電を検出した場合には、充電回数←充電回数＋１と表される。
【００３３】
ステップＳ３では、挿抜回数（又は充電回数）が所定回数であるか否かの判定を制御部６がし、所定回数である場合（Ｙｅｓ）にステップＳ４の処理に移行し、所定回数未満の場合（Ｎｏ）にはステップＳ１の処理に移行する。ステップＳ４では、挿抜回数（又は充電回数）が所定回数に達したことを出力部７に出力する。
【００３４】
出力部７がランプ、ＬＥＤ、モニタなどである場合、所定回数に達したことを表示する。出力部７がスピーカである場合、所定回数に達したことを音声で知らせる。
なお、ステップＳ２の処理は、挿抜又は充電を検出するごとに、所定回数から１を減算する処理としてもよい。その場合には、ステップＳ３の処理において、その減算された値が０であるか否かを判定し、０である場合（ステップＳ３：Ｙｅｓ）にステップＳ４の処理に移行し、それ以外の場合（ステップＳ３：Ｎｏ）にはステップＳ１の処理に移行する。
【００３５】
実施形態１によれば、挿抜回数又は充電回数が所定回数に達した場合、所定回数に達したことを出力部７に出力することで、充電装置１の故障を未然に防ぐことができる。すなわち、充電側コネクタ４に設けられている端子が蓄電側コネクタ５に設けられている端子との接触による摩耗で、充電側コネクタ４の端子の接触抵抗が上昇し、充電の際に充電装置１の端子が発熱することを未然に防ぐことができる。
【００３６】
更に、挿抜回数、又は、充電回数、又は、接触抵抗の上昇、又は、充電側コネクタ４の交換時期であること、を出力部７に出力してもよい。また、利用者に保守・点検の実施を促してもよい。
＜実施形態２＞
実施形態２において、制御部６は、充電装置１内に設けられる温度計測部１０が計測した温度を取得し、充電装置１に異常がなく、且つ、温度が所定温度に達した場合、充電装置１の吸気口に設けられたフィルタ部８に目詰まりがあると推定し、目詰まりがあることを出力部７に出力する。
【００３７】
充電装置１に異常がない状態とは、充電装置１の各部から制御部６に送信される計測データに基づいて、充電装置１に異常がないと制御部６が判定した状態である。異常がないか否かの判定は、例えば、充電装置１の各部の故障を記憶したエラーコードを参照して行ってもよい。
【００３８】
所定温度は、所定時間において充電装置１が故障に至る温度より低い温度で、例えば、実験又はシミュレーションにより推定することが考えられる。
なお、電源部３内のＤＣ−ＤＣコンバータに設けられるスイッチング制御に用いられるスイッチング素子に配設される放熱フィンに、温度計測部１０が設置されている場合、所定温度はスイッチング素子が故障に至る温度より小さい値とする。
【００３９】
実施形態２の動作について説明をする。
図３は、実施形態２における充電装置の動作の一例を示すフロー図である。ステップＳ３０１からステップＳ３０５に制御部６の処理を示す。
【００４０】
ステップＳ３０１では、温度計測部１０が計測した温度を取得する。ステップＳ３０２では、充電装置１に異常がないか否かを判定し、異常がない場合（Ｙｅｓ）にはステップＳ３０４の処理に移行し、異常がある場合（Ｎｏ）にはステップＳ３０３の処理に移行する。ステップＳ３０３では、保守・点検処理を実行する。保守・点検処理は、例えば、充電装置１に異常があることを出力部７に出力する処理で、利用者に保守・点検を速やかに実施するように促す。ステップＳ３０４では、取得した温度が所定温度に達しているか否かを判定し、所定温度に達している場合（Ｙｅｓ）にはステップＳ３０５に移行し、所定温度に達していない場合（Ｙｅｓ）にはステップＳ３０１に移行する。ステップＳ３０５では、充電装置１の吸気口に設けられたフィルタ部８に目詰まりがあると推定し、目詰まりがあることを出力部７に出力する。
【００４１】
出力部７がランプ、ＬＥＤ、モニタなどである場合、目詰まりがあることを表示する。出力部７がスピーカである場合、目詰まりがあることを音声で知らせる。
実施形態２によれば、充電装置１に異常がなく、且つ、温度が所定温度に達した場合、目詰まりがあることを推定し、出力部７に出力することで、充電装置１の故障を未然に防ぐことができる。すなわち、フィルタ部８が目詰まりすることにより、充電装置１内に吸気される空気量が減少し、充電装置１内が冷却され難くなり、充電装置１が故障に至ることを未然に防ぐことができる。
【００４２】
更に、清掃又は交換時期であること、又は、充電装置１内あるいは電源部３内の温度、を出力部７に通知してもよい。また、利用者に保守・点検の実施を促してもよい。
＜充電システム＞
次に、充電装置システムについて説明する。
【００４３】
図４は、充電システムの一実施例を示す図である。図１の構成との違いは、充電システムの充電装置４００は、電源部３、充電側コネクタ４（充電側接続部）、制御部６、通信部４０１、フィルタ部８、冷却部９を備えている。充電装置４００の通信部４０１は、ネットワーク４０２を介して一つ以上の情報処理装置４０３ａ、４０３ｂと通信をする。また、情報処理装置４０３ａ、４０３ｂはサーバなどが考えられる。なお、本例において情報処理装置４０３ａ、４０３ｂには出力装置４０４ａ、４０４ｂがそれぞれ接続されている。一つ以上の出力装置４０４ａ、４０４ｂは、例えば、パーソナルコンピュータ、携帯端末などである。
＜実施形態３＞
実施形態３では、挿抜回数又は充電回数が所定回数に達したことを出力装置４０４ａ、４０４ｂに出力する方法として、（１）充電装置４００が主体となる場合、あるいは、（２）情報処理装置４０３ａ、４０３ｂが主体となる場合がある。
（１）充電装置４００の制御部６が主体となる場合
制御部６は、充電側コネクタ４と蓄電側コネクタ５とが挿抜された挿抜回数、又は、蓄電装置２を充電した充電回数を求め、挿抜回数又は充電回数が所定回数に達した場合、充電側コネクタ４に設けられている端子の接触抵抗が所定抵抗を超えたとし、挿抜回数又は充電回数が所定回数に達したことを示す到達情報を生成する。
【００４４】
続いて、制御部６は生成した到達情報を、充電装置４００の通信部４０１に送信する。通信部４０１は制御部６から到達情報を受信すると、ネットワーク４０２を介して情報処理装置４０３ａ、４０３ｂに到達情報を送信する。
【００４５】
情報処理装置４０３ａ、４０３ｂは、到達情報を充電装置４００からネットワーク４０２を介して受信し、出力装置４０４ａ、４０４ｂに挿抜回数又は充電回数が所定回数に達したことを出力する。
（２）情報処理装置４０３ａ、４０３ｂが主体となる場合
充電装置４００の制御部６は、挿抜又は充電をしたことを示すカウント情報を、通信部４０１からネットワーク４０２を介して情報処理装置４０３ａ、４０３ｂに送信する。
【００４６】
情報処理装置４０３ａ、４０３ｂは、カウント情報を受信すると、充電側コネクタ４と蓄電側コネクタ５とが挿抜された挿抜回数、又は、蓄電装置２を充電した充電回数を求め、記憶する。すなわち、カウント情報を受信するたびに、現在の挿抜回数又は充電回数に１を加算する処理をする。
【００４７】
続いて、情報処理装置４０３ａ、４０３ｂは、挿抜回数又は充電回数が所定回数に達した場合、挿抜回数の増加に基づいて充電側コネクタ４に設けられている端子の接触抵抗が所定抵抗を超えたとし、情報処理装置４０３ａ、４０３ｂに接続される出力装置４０４ａ、４０４ｂに出力させる。
【００４８】
なお、上記ではカウント情報を受信するたびに、現在の挿抜回数又は充電回数に１を加算する処理について説明したが、所定回数から１を減算する処理をしてもよい。その場合には、減算された値が０であるか否かを判定し、その値が０になった場合、情報処理装置４０３ａ、４０３ｂに接続される出力装置４０４ａ、４０４ｂに、挿抜回数又は充電回数が所定回数に達したことを出力する。
【００４９】
実施形態３によれば、挿抜回数又は充電回数が所定回数に達した場合、所定回数に達したことを出力装置４０４ａ、４０４ｂに出力することで、充電装置４００の故障を未然に防ぐことができる。すなわち、充電側コネクタ４に設けられている端子と蓄電側コネクタ５に設けられている端子との接触による摩耗で、充電側コネクタ４の端子の接触抵抗が上昇し、充電の際に端子が発熱することを未然に防ぐことができる。
【００５０】
更に、接触抵抗の上昇したこと、又は、充電側コネクタ４が交換時期であること、を出力装置４０４ａ、４０４ｂに出力してもよい。また、利用者に保守・点検の実施を促してもよい。
【００５１】
また、充電装置４００の点検を出力装置４０４ａ、４０４ｂを用いて実施できるため、現地に出向く必要がなくなるので、利用者の保守・点検作業を軽減できる。
＜実施形態４＞
実施形態４では、目詰まりがあることを出力装置４０４ａ、４０４ｂに出力する方法として、（３）充電装置４００が主体となる場合、あるいは、（４）情報処理装置４０３ａ、４０３ｂが主体となる場合がある。
（３）充電装置４００の制御部６が主体となる場合
充電装置４００の制御部６は、温度計測部１０が計測した温度を取得し、充電装置４００に異常がなく、且つ、温度が所定温度以上の場合、フィルタ部８に目詰まりがあると推定し、目詰まりがあることを示す目詰まり情報を生成する。そして充電装置４００の通信部４０１は、目詰まり情報を送信する。
【００５２】
情報処理装置４０３ａ、４０３ｂは、目詰まり情報を充電装置４００からネットワーク４０２を介して受信し、出力装置４０４ａ、４０４ｂに目詰まりがあることを出力する。
（４）情報処理装置４０３ａ、４０３ｂが主体となる場合
充電装置４００の制御部６は、充電装置４００が正常か異常かを示す状態情報、及び、温度計測部１０が計測した温度を示す温度情報を、通信部４０１からネットワーク４０２を介して情報処理装置４０３ａ、４０３ｂに送信する。
【００５３】
情報処理装置４０３ａ、４０３ｂが状態情報及び温度情報を受信すると、情報処理装置４０３ａ、４０３ｂは、受信した状態情報を参照して充電装置４００に異常がなく、且つ、温度情報を参照して温度が所定温度以上であると判定した場合、フィルタ部８に目詰まりがあると推定し、情報処理装置４０３ａ、４０３ｂに接続される出力装置４０４ａ、４０４ｂに、目詰まりがあることを出力する。
【００５４】
実施形態４によれば、充電装置４００に異常がなく、且つ、温度が所定温度に達した場合、目詰まりがあることを推定し、出力装置４０４ａ、４０４ｂに出力することで、充電装置４００の故障を未然に防ぐことができる。すなわち、フィルタ部８が目詰まりすることにより、充電装置４００内に吸気される空気量が減少し、充電装置４００内が冷却され難くなり、充電装置１が故障に至ることを未然に防ぐことができる。
【００５５】
更に、清掃又は交換時期であること、又は、充電装置１内あるいは電源部３内の温度であること、を出力装置４０４ａ、４０４ｂに出力してもよい。また、利用者に保守・点検の実施を促してもよい。
【００５６】
また、充電装置４００の点検を出力装置４０４ａ、４０４ｂを用いて実施できるため、現地に出向く必要がなくなるので、利用者の保守・点検作業を軽減できる。
また、本発明は、以上の実施の形態に限定されるものでなく、本発明の要旨を逸脱しない範囲内で種々の改良、変更が可能である。
【符号の説明】
【００５７】
１、４００  充電装置
２  蓄電装置
３  電源部
４  充電側コネクタ
５  蓄電側コネクタ
６  制御部
７  出力部
８  フィルタ部
９  冷却部
１０  温度計測部
４０１  通信部
４０２  ネットワーク
４０３ａ、４０３ｂ  情報処理装置
４０４ａ、４０４ｂ  出力装置
【図１】
2017038437.tif 000003
【図２】
2017038437.tif 000004
【図３】
2017038437.tif 000005
【図４】
2017038437.tif 000006